(57)【特許請求の範囲】
【請求項１】
ケース、
前記ケースに取り付けられた表示装置、
前記ケースに内蔵された近距離無線通信用のアンテナ、および
前記近距離無線通信の起動操作が行われたとき、前記表示装置に前記アンテナの位置を示すアシストマークを表示させる表示手段を備える通信端末であって、
前記ケースは、第１ケースと第２ケースとを含み、前記第１ケースは、前記第２ケースに対して遷移可能であり、
前記第２ケースに対する前記第１ケースの状態に基づいて、前記ケースに対する前記アンテナの位置を特定する位置特定手段を備え、
前記表示手段は、前記位置特定手段によって特定された位置の変化に基づいて前記アシストマークを移動させる、通信端末。
【請求項２】
前記表示手段は、前記表示装置の表示範囲内に含まれている前記アンテナの位置を示す第１アシストマークを表示する請求項１記載の通信端末。
【請求項３】
前記表示装置の表示範囲内に前記アンテナの位置が含まれるか否かを判別する判別手段をさらに備え、
前記表示手段は、前記判別手段によって前記表示装置の表示範囲内に前記アンテナの位置が含まれていると判別されたとき、前記表示装置に対する前記アンテナの位置を示す第１アシストマークを表示させる第１表示手段を含む、請求項１記載の通信端末。
【請求項４】
前記表示手段は、前記判別手段によって前記表示装置の表示範囲内に前記アンテナの位置が含まれていないと判別されたとき、前記ケースに対する前記アンテナの位置を示す第２アシストマークを前記表示装置に表示させる第２表示手段を含む、請求項３記載の通信端末。
【請求項５】
前記表示装置は、第１表示装置を含み、
前記第１表示装置は、前記第１ケースの一方主面に取り付けられ、
前記アンテナは、前記第１ケースまたは前記第２ケースに内蔵される、請求項１ないし４のいずれか記載の通信端末。
【請求項６】
前記表示装置は、第２表示装置をさらに含み、
前記第２表示装置は、前記第１ケースの他方主面に取り付けられる、請求項５記載の通
信端末。
【請求項７】
前記第２表示装置に前記第１表示装置を確認するように促す文字列を表示させる文字列表示手段をさらに備える、請求項６記載の通信端末。
【請求項８】
前記第２ケースに対する前記第１ケースの状態を遷移可能に前記第１ケースと前記第２ケースとを連結する連結手段を備え、
前記連結手段は、前記第１ケースを前記第２ケースの上に積層した状態で前記第１ケースをスライドさせるスライド機構を含む、請求項１ないし７のいずれかに記載の通信端末。
【発明の詳細な説明】
【技術分野】
【０００１】
この発明は、通信端末に関し、特にたとえば近距離無線通信用のアンテナを利用して通信を行う、通信端末に関する。
【背景技術】
【０００２】
この種の装置の一例が、非特許文献１に開示されている。
この背景技術によれば、“FeliCa”(登録商標)と呼ばれる非接触型のＩＣカード技術に基づいて構成されたモバイルＦｅｌｉＣａチップを内蔵した通信端末の利用が広がっている。モバイルＦｅｌｉＣａチップは、リーダ／ライタと近距離無線通信を行うためのアンテナを備えている。アンテナは、通信端末の一方主面において良好な受信感度が確保されるように、通信端末に内蔵される。また、通信端末に内蔵されるモバイルＦｅｌｉＣａチップとリーダ／ライタとの間で近距離無線通信を行うときは、近距離無線通信を行うためのアンテナおよびリーダ／ライタを近接させる必要がある。よって、携帯端末の一方主面には、アンテナが内蔵されている位置を示すロゴマークが設けられている。
【先行技術文献】
【特許文献】
【０００３】
【非特許文献１】Ｗ５１ＳＡ  ｂｙ  ＳＡＮＹＯ  取扱説明書  ２７４−２７８頁
【発明の概要】
【発明が解決しようとする課題】
【０００４】
しかし、背景技術では、アンテナの位置を示すロゴマークは、アンテナとリーダ／ライタとを近接させることで、通信端末の陰に隠れてしまう。よって、使用者は、通信端末に内蔵されるモバイルＦｅｌｉＣａチップがリーダ／ライタとの間で近距離無線通信を行うときに、アンテナの位置が明確に認識できていなかった。
【０００５】
それゆえに、この発明の主たる目的は、新規な、通信端末を提供することである。
【０００６】
この発明の他の目的は、アンテナの位置が明確に認識できる、通信端末を提供することである。
【課題を解決するための手段】
【０００７】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００８】
第１の発明に従う通信端末は、ケース、ケースに取り付けられた表示装置、ケースに内蔵された近距離無線通信用のアンテナ、および近距離無線通信の起動操作が行われたとき、表示装置にアンテナの位置を表示させる表示手段を備える。
【０００９】
第１の発明に従う通信端末(10：実施例で相当する参照符号。以下同じ)では、表示装置(32,34)はケース(C1,C2)に取り付けられる。近距離無線通信用(24)のアンテナ(24a)はケ
ースに内蔵される。表示手段(S15,S21,S35,S41,S49,S51,S59,S63,S69,S75,S81,S83)は、
近距離無線通信(24)の起動操作が行われたとき、表示装置にアンテナの位置を表示させる。
【００１０】
第１の発明によれば、ケースに内蔵されたアンテナの位置は、近距離無線通信の起動操
作が行われたとき、表示手段によって表示装置へ表示される。したがって、使用者は、ケースに内蔵されるアンテナの位置を明確に認識することができるので、その表示に従って通信端末をリーダ／ライタに近接させればよい。
【００１１】
第２の発明に従う通信端末は、第１の発明に従属し、表示手段は、表示装置の表示範囲内に含まれているアンテナの位置を示す第１アシストマークを表示する。
【００１２】
第３の発明に従う通信端末は、第１の発明に従属し、表示装置の表示範囲内にアンテナの位置が含まれるか否かを判別する判別手段をさらに備え、表示手段は、判別手段によって表示装置の表示範囲内に前記アンテナの位置が含まれていると判別されたとき、表示装置に対するアンテナの位置を示す第１アシストマークを表示させる第１表示手段を含む。また、第４の発明に従う通信端末は、第３の発明に従属し、判別手段によって表示装置の表示範囲内に前記アンテナの位置が含まれていないと判別されたとき、ケースに対するアンテナの位置を示す第２アシストマークを表示装置に表示させる第２表示手段を含む。
【００１３】
第３の発明に従う通信端末では、判別手段(S13,S29,S37,S45,S55,S61,S67,S79)は表示
装置の表示範囲内にアンテナの位置が含まれるか否かを判別する。第１表示手段(S21, S35,S41,S49,S75,S81)は、判別手段によって表示装置の表示範囲内にアンテナの位置が含まれていると判別されたとき、表示装置に対するアンテナの位置を示す第１アシストマーク(36)を表示させる。第４の発明に従う通信端末では、判別手段によって表示装置の表示範囲内に前記アンテナの位置が含まれていないと判別されたとき、第２表示手段(S15, S51,S59,S63,S69,S83)は、判別手段の判別結果が否定的である場合にケースに対するアンテナの位置を示す第２アシストマーク(36,38)を表示装置に表示させる。
【００１４】
第３の発明によれば、第１アシストマークは、表示装置に対するアンテナの位置を示す。そして、使用者は、表示装置に表示された第１アシストマークの位置とリーダ／ライタとが重なるように、アンテナの位置をリーダ／ライタに近接させればよい。
【００１５】
また、第４の発明によれば、第２アシストマークはケースに対するアンテナの位置を示す。そして、使用者は、表示装置に表示された第２アシストマークを参考にして、第２アシストマークが示すケースの位置とリーダ／ライタとが重なるように、アンテナの位置をリーダ／ライタに近接させればよい。
【００１６】
第５の発明に従う通信端末は、第１または第２の発明に従属し、ケースは第１ケースのみを含み、表示装置は、第１ケースの一方主面に取り付けられ、アンテナは、第１ケースに内蔵される。
【００１７】
第５の発明に従う通信端末では、ケースは、第１ケース(C1)のみを含み、表示装置はその第１ケースの一方主面に取り付けられる。アンテナは第１ケースに内蔵される。
【００１８】
第５の発明によれば、表示装置は、アンテナと反対面に取り付けられる。
したがって、第１ケースの一方主面に取り付けられる表示装置は、第１ケースに内蔵されるアンテナの位置を第１アシストマークまたは第２アシストマークによって表示する。これによって、使用者は、第１ケースに対するアンテナの位置を明確に認識することができる。
【００１９】
第６の発明に従う通信端末は、第３または第４の発明に従属し、ケースは第１ケースおよび第２ケースを含み、第２ケースに対する第１ケースの状態を遷移可能に第１ケースと第２ケースとを連結する連結手段、第２ケースに対する第１ケースの状態を検知するセンサ、およびセンサの出力に基づいてケースに対するアンテナの位置を特定する位置特定手
段をさらに備え、判別手段は、位置特定手段によって特定された位置に基づいて判別を行う。
【００２０】
第６の発明に従う通信端末では、ケースは第１ケースおよび第２ケース(C2)を含む。
連結手段(SL,K,H1,H2)は第２ケースに対する第１ケースの状態を遷移可能に第１ケースと第２ケースとを連結する。センサ(28,30)は第２ケースに対する第１ケースの状態を検知
する。位置特定手段(22)はセンサの出力に基づいてケースに対するアンテナの位置を特定する。判別手段の判別結果は、位置特定手段によって特定された位置に基づいて判別を行う。
【００２１】
第６の発明によれば、位置特定手段によって、表示装置に対するアンテナの位置を特定するので、特定後のアンテナの位置に基づいて判別手段は判定結果を出力する。さらに、表示手段は、判別結果によって、表示装置に第１アシストマークまたは第２アシストマークを表示させる。したがって、連結手段によって第２ケースに対して第１ケースの状態が遷移しても、位置特定手段によって表示装置に対するアンテナの位置を特定できるため、表示装置は、第１アシストマークまたは第２アシストマークを表示する。これによって、使用者は、第２ケースに対して第１ケースの状態がいかなる状態であっても、アンテナの位置を明確に認識することができる。
【００２２】
第７の発明に従う通信端末は、第６の発明に従属し、位置特定手段は、位置特定処理を繰り返し実行し、第１表示手段は、位置特定手段によって特定された位置の変化に基づいて第１アシストマークを移動させる。
【００２３】
第７の発明に従う通信端末では、位置特定手段は、位置特定処理を繰り返し実行する。第１表示手段は位置特定手段によって特定された位置の変化に基づいて第１アシストマークを移動させる。
【００２４】
第７の発明によれば、表示装置に表示された第１アシストマークの表示位置は、位置特定手段によって特定された位置の変化に基づいて移動される。したがって、第２ケースに対する第１ケースの状態が段階的に遷移すると、表示装置に表示される第１アシストマークの位置も段階的に移動する。これによって、使用者は、段階的に移動した第１アシストマークの位置に対応して、アンテナの位置を明確に認識することができる。
【００２５】
第８の発明に従う通信端末は、第６または第７の発明に従属し、表示装置は、第１表示装置を含み、第１表示装置は、第１ケースの一方主面に取り付けられ、アンテナは、第１ケースまたは第２ケースに内蔵される。
【００２６】
第８の発明に従う通信端末では、第１表示装置(32)は表示装置に含まれる。第１表示装置は第１ケースの一方主面に取り付けられる。アンテナは第１ケースまたは第２ケースに内蔵される。
【００２７】
第９の発明に従う通信端末は、第８の発明に従属し、表示装置は、第２表示装置をさらに含み、第２表示装置は、第１ケースの他方主面に取り付けられる。
【００２８】
第９の発明に従う通信端末では、第２表示装置(34)は表示装置にさらに含まれる。第２表示装置は第１ケースの他方主面に取り付けられる。
【００２９】
第８〜第９の発明によれば、第１表示装置が第１ケースの一方主面に取り付けられ、アンテナが第１ケースに内蔵されてもよい。また、第１表示装置が第１ケースの一方主面に取り付けられ、アンテナが第２ケースに内蔵されてもよい。さらに、第２表示装置は第１
ケースの他方主面に内蔵されてもよい。したがって、アンテナが第１ケースまたは第２ケースに内蔵されたとしても、第１表示装置または第２表示装置は、アンテナの位置を表示することができる。これによって、使用者は、アンテナが第１ケースまたは第２ケースのどちらに内蔵されても、アンテナの位置を明確に認識することができる。
【００３０】
第１０の発明に従う通信端末は、第９の発明に従属し、第２表示装置に第１表示装置を確認するように促す文字列を表示させる文字列表示手段をさらに備える。
【００３１】
第１０の発明に従う通信端末では、文字列表示手段(S33,S53)は、第２表示装置に第１
表示装置を確認するように促す文字列を表示させる。
【００３２】
第１０の発明によれば、第２表示装置は、第１アシストマークまたは第２アシストマークの表示とは別に、第１表示装置を確認するように促す文字列を表示させる。したがって、第２表示装置によって、アンテナの位置を表示できない場合に、第１表示装置を確認するように促す文字列を表示させる。これによって、使用者は、第１表示装置を確認することで、アンテナの位置を明確に認識することができる。
【００３３】
第１１の発明に従う通信端末は、第６ないし第１０のいずれかの発明に従属し、連結手段は、第１ケースを第２ケースの上に積層した状態で、第２ケースの主面に対して垂直な第１軸を基準として第１ケースを可動させる回転機構を含む。
【００３４】
第１１の発明に従う通信端末では、回転機構(K)は、第１ケースを第２ケースの上に積
層した状態で第２ケースの主面に対して垂直な第１軸(AX1)を基準として第１ケースを可
動させる。つまり、回転機構は、第１軸を基準として第１ケースを回転させる。
【００３５】
第１１の発明によれば、第１ケースと第２ケースとは、回転機構によって、連結される。
【００３６】
第１２の発明に従う通信端末は、第６ないし第１０のいずれかの発明に従属し、第１ケースを第２ケースの上に積層した状態で第１ケースをスライドさせるスライド機構を含む。
【００３７】
第１２の発明に従う通信端末では、スライド機構(SL)は、第１ケースを第２ケースの上に積層した状態で第１ケースをスライドさせる。
【００３８】
第１２の発明によれば、第１ケースと第２ケースとは、スライド機構によって、連結される。
【００３９】
第１３の発明に従う通信端末は、第６ないし第１１のいずれかの発明に従属し、連結手段は、第１ケースを第２ケースの上に積層した状態で、ヒンジ軸を基準として第１ケースを可動させるヒンジ機構を含む。
【００４０】
第１３の発明に従う通信端末では、ヒンジ機構(H1,H2) は、ヒンジ軸(AX2,AX3)を基準
として、第１ケースを可動させる。つまり、ヒンジ軸を基準とした回転により、第１ケースと第２ケースとを開閉させ、かつ、第１ケースの面の向きを反転させる。
【００４１】
第１３の発明によれば、第１ケースと第２ケースとは、ヒンジ機構によって、連結される。さらに、連結手段は、回転機構とヒンジ機構とを同時に含むことがある。
【００４２】
第１４の発明に従う通信端末は、第１２の発明に従属し、ヒンジ機構は、第２ケースの
主面の短辺と平行な第１ヒンジ軸を基準として、第１ケースを可動させる第１ヒンジ機構を含む。つまり、ヒンジ軸を基準とした回転により、第１ケースと第２ケースとを開閉させる。
【００４３】
第１４の発明に従う通信端末では、第１ヒンジ機構(H1)は、第２ケースの主面の短辺と平行な第１ヒンジ軸(AX2)を基準として、第１ケースを可動させる。
【００４４】
第１５の発明に従う通信端末は、第１４の発明に従属し、ヒンジ機構は、第１ヒンジ軸に直交しかつ第１ケースの長辺と並行な第２ヒンジ軸を基準とした回転により、第１ケースの面の向きを反転させる第２ヒンジ機構をさらに含む。
【００４５】
第１５の発明に従う通信端末では、第２ヒンジ機構(H2)は、第１ヒンジ軸に直交しかつ第１ケースの長辺と並行な第２ヒンジ軸(AX3)を基準とした回転により、第１ケースの面
の向きを反転させる。
【００４６】
第１４〜第１５の発明によれば、ヒンジ機構は、第１ヒンジ軸を基準として第１ケースを可動させる。さらに、ヒンジ機構は、第２ヒンジ軸を基準した回転により、第１ケースの面の向きを反転させてもよい。
【発明の効果】
【００４７】
この発明によれば、通信端末に内蔵されるアンテナの位置が明確に認識できるため、モバイルＦｅｌｉＣａチップがリーダ／ライタとの間で確実に近距離無線通信を行うことができる。
【００４８】
この発明の上述の目的、その他の目的、特徴および利点は、図面を参照して行う以下の実施例の詳細な説明から一層明らかとなろう。
【図面の簡単な説明】
【００４９】
【図１】この発明の第１実施例を示すブロック図である。
【図２】(Ａ)は或る姿勢をとる第１実施例の外観を示す斜視図であり、(Ｂ)は他の姿勢をとる第１実施例の外観を示す斜視図であり、(Ｃ)はその他の姿勢をとる第１実施例の外観を示す斜視図である。
【図３】(Ａ)はＬＣＤモニタに表示する表示例であり、(Ｂ)はＬＣＤモニタに表示する他の表示例であり、(Ｃ)はＬＣＤモニタに表示するその他の表示例である。
【図４】第１実施例に適用されるＣＰＵの動作の一部を示すフロー図である。
【図５】第１実施例に適用されるＣＰＵの動作の他の一部を示すフロー図である。
【図６】(Ａ)は或る姿勢をとる第２実施例の外観を示す斜視図であり、(Ｂ)は他の姿勢をとる第２実施例の外観を示す斜視図であり、(Ｃ)はその他の姿勢をとる第２実施例の外観を示す斜視図であり、(Ｄ)はさらにその他の姿勢をとる第２実施例の外観を示す斜視図であり。
【図７】この発明の第３実施例を示すブロック図である。
【図８】(Ａ)は或る姿勢をとる第３実施例の外観を示す斜視図であり、(Ｂ)は他の姿勢をとる第３実施例の外観を示す斜視図であり、(Ｃ)はその他の姿勢をとる第３実施例の外観を示す斜視図である。
【図９】(Ａ)はさらにその他の姿勢をとる第３実施例の外観を示す斜視図であり、(Ｂ)は他の姿勢をとる第３実施例の外観を示す斜視図であり、(Ｃ)はその他の姿勢をとる第３実施例の外観を示す斜視図である。
【図１０】さらにその他の姿勢をとる第３実施例の外観を示す斜視図である。
【図１１】第３実施例に適用されるサブＬＣＤモニタに表示する表示例である。
【図１２】(Ａ)はさらにその他の姿勢をとる第３実施例の外観を示す斜視図であり、(Ｂ)は他の姿勢をとる第３実施例の外観を示す斜視図である。
【図１３】第３実施例に適用されるＣＰＵの動作の一部を示すフロー図である。
【図１４】第３実施例に適用されるＣＰＵの動作の他の一部を示すフロー図である。
【図１５】(Ａ)は或る姿勢をとる第４実施例の外観を示す斜視図であり、(Ｂ)は他の姿勢をとる第４実施例の外観を示す斜視図であり、(Ｃ)はその他の姿勢をとる第４実施例の外観を示す斜視図である。
【図１６】第４実施例に適用されるＣＰＵの動作の一部を示すフロー図である。
【図１７】第４実施例に適用されるＣＰＵの動作の他の一部を示すフロー図である。
【図１８】この発明の第５実施例を示すブロック図である。
【図１９】(Ａ)は或る姿勢をとる第５実施例の外観を示す斜視図であり、(Ｂ)は他の姿勢をとる第５実施例の外観を示す斜視図であり、(Ｃ)は他の姿勢をとる第５実施例の外観を示す斜視図である。
【図２０】第５実施例に適用されるＣＰＵの動作の一部を示すフロー図である。
【発明を実施するための形態】
【００５０】
＜第１実施例＞  図１を参照して、この第１実施例の携帯通信端末１０は、キー入力装置２６を含む。キー入力装置２６によって発呼操作が行われると、ＣＰＵ２２は、ＣＤＭＡ方式に対応する無線通信回路１４を制御して発呼信号を出力する。出力された発呼信号は、アンテナ１２から放出され、基地局を含む移動通信網を経て通話相手の電話機に送信される。通話相手が着呼操作を行うと、通話可能状態が確立される。
【００５１】
通話可能状態に移行した後にキー入力装置２６によって通話終了操作が行われると、ＣＰＵ２２は、無線通信回路１４を制御して、通話相手に通話終了信号を送信する。通話終了信号の送信後、ＣＰＵ２２は、通話処理を終了する。先に通話相手から通話終了信号を受信した場合も、ＣＰＵ２２は、通話処理を終了する。また、通話相手によらず、移動通信網から通話終了信号を受信した場合も、ＣＰＵ２２は通話処理を終了する。
【００５２】
システム全体が起動している状態で通話相手からの発呼信号がアンテナ１２によって捉えられると、無線通信回路１４は、着信をＣＰＵ２２に通知する。ＣＰＵ２２は、着信通知に記述された発信元情報をメインＬＣＤモニタ３２から出力し、図示しない着信通知用のスピーカから着信音を出力する。キー入力装置２６によって着呼操作が行われると、通話可能状態が確立される。
【００５３】
通話可能状態では、次のような処理が実行される。通話相手から送られてきた変調音声信号（高周波信号）は、アンテナ１２によって捉えられる。捉えられた変調音声信号は、無線通信回路１４によって復調処理および復号処理を施される。これによって得られた受話音声信号は、スピーカ１８から出力される。
【００５４】
マイクロフォン１６によって取り込まれた送話音声信号は、無線通信回路１４によって符号化処理および変調処理を施される。これによって生成された変調音声信号は、上述と同様、アンテナ１２を利用して通話相手に送信される。
【００５５】
フェリカ回路２４は、“FeliCa”(登録商標)と呼ばれる非接触ＩＣカード技術に基づいて構成された近距離無線通信回路であり、近距離無線通信するためのアンテナ２４ａを備える。キー入力装置２６によってフェリカモードが選択された状態でアンテナ２４ａとリーダ／ライタ(図示せず)とを近接させることで、近距離無線通信が行われる。
【００５６】
磁気センサ２８は、磁力３０の磁気を検出し、検出した磁気の強度によって０〜２５５の値を出力する。
【００５７】
図２(Ａ)〜図２(Ｃ)参照して、携帯通信端末１０は、各々が板状に形成されたケースＣ１およびＣ２を有する。ケースＣ１およびケースＣ２の厚みは略同じである。フェリカ回路２４は、アンテナ２４ａがケースＣ２の下面において良好な受信感度が確保されるように、ケースＣ２に内蔵される。キー入力装置２６は、操作キー群がケースＣ１の上面およびケースＣ２の上面に露出するようにケースＣ１およびケースＣ２に取り付けられる。磁気センサ２８はケースＣ２に内蔵される。磁石３０は、図２(Ａ)の状態の場合に、磁気センサ２８と一番近い状態になるように、ケースＣ１に内蔵される。メインＬＣＤモニタ３２はモニタ画面がケースＣ１の上面に露出するようにケースＣ１に取り付けられる。
【００５８】
つまり、メインＬＣＤモニタ３２はケースＣ１の上面に取り付けられ、磁石３０はケースＣ１に内蔵される。また、磁気センサ２８はケースＣ２に内蔵され、フェリカ回路２４はケースＣ２に内蔵される。そして、キー入力装置２６は操作キー群がケースＣ１およびケースＣ２の上面に取り付けられる。
【００５９】
スライド機構ＳＬは、ケースＣ１の下面の幅方向両端およびケースＣ２の上面の幅方向両端に設けられる。つまり、ケースＣ１は、ケースＣ２の上に積層された状態でケースＣ２の長さ方向にスライドできる。また、スライド機構ＳＬは、スライドをバネ機構によってアシストするスライドアシスト機構(図示せず)を含む。
【００６０】
磁気センサ２８は、図２(Ａ)に示す状態では最大値である２５５を出力し、図２(Ｂ)および図２(Ｃ)に示す状態では最小値である０を出力する。そして、磁気センサ２８の出力値は、図２(Ａ)から図２(Ｂ)および図２(Ｃ)にスライドすると、スライド量に応じて小さくなる。つまり、図２(Ａ)に示す閉状態では、磁気センサ２８が最大値を出力し、図２(
Ｂ)および図２(Ｃ)に示す開状態では、磁気センサ２８が最小値を出力する。
【００６１】
ＣＰＵ２２は、磁力センサ２８の出力値と閾値とを比較することによって、開状態と閉状態との切り替え処理を行う。閾値は、メインＬＣＤモニタ３２の表示範囲内にアンテナ２４ａの位置が収まる限界位置までスライドした時の、磁力センサ２８の出力値とする。例えば、閾値が１２８である場合は、磁気センサ２８の出力値が最大値である２５５から１２８までは閉状態とし、磁気センサ２８の出力値が１２７から最小値である０までは開状態とする。
【００６２】
上述のように、フェリカ回路２４は、アンテナ２４ａがケースＣ２の下面において良好な受信感度が確保されるように、ケースＣ２に内蔵される。したがって、フェリカ回路２４を利用した近距離無線通信は、ケースＣ２の下面をリーダ／ライタに近接させることで行われる。しかし、使用者は、ケースＣ２の下面をリーダ／ライタに近接させるときに、アンテナ２４ａの位置を認識できない。
【００６３】
そこで、フェリカ回路２４を利用した近距離無線通信をする場合に、ケースＣ１の上面に取り付けられたメインＬＣＤ３２に、ケースＣ２に内蔵されたアンテナ２４ａの位置を表示するようにしている。
【００６４】
具体的には、図２(Ａ)〜図２(Ｃ)および図３(Ａ)〜図３(Ｃ)を参照して、アシストマーク３６は、メインＬＣＤモニタ３２に対するアンテナ２４ａの位置、またはフェリカ回路２４が内蔵されるケースＣ２に対するアンテナ２４ａの位置を示す。模式図３８は、ケースＣ２の上面に取り付けられたキー入力装置２６の操作キー群を模式的に表す。
【００６５】
図２(Ａ)に示す閉状態では、アンテナ２４ａの受信感度が良好に確保されているケースＣ２の下面の裏側面は、メインＬＣＤモニタ３２が取り付けられるケースＣ１の上面とみなす。したがって、メインＬＣＤモニタ３２の表示範囲には、アンテナ２４ａの位置が含
まれる。よって、メインＬＣＤモニタ３２は、メインＬＣＤモニタ３２の表示範囲に対するアンテナ２４ａの位置にアシストマーク３６を表示する。ここで、閉状態でメインＬＣＤモニタ３２に表示する表示例を図３(Ａ)に示す。
【００６６】
つまり、メインＬＣＤモニタ３２に表示されるアシストマーク３６の裏側には、アンテナ２４ａが存在する。そして、使用者は、メインＬＣＤモニタ３２に表示されたアシストマーク３６の位置とリーダ／ライタとが重なるように、アンテナ２４ａの受信感度が良好に確保されている面、例えば、ケースＣ２の下面をリーダ／ライタに近接させればよい。
【００６７】
図２(Ｂ)および図２(Ｃ)に示す開状態では、アンテナ２４ａの受信感度が良好に確保されているケースＣ２の下面の裏側面は、ケースＣ２の上面となる。したがって、メインＬＣＤモニタ３２の表示範囲には、アンテナ２４ａの位置が含まれない。よって、メインＬＣＤモニタ３２は、ケースＣ２の上面の模式図３８を表示し、さらに、ケースＣ２の上面に対するアンテナ２４ａの位置でアシストマーク３６を表示する。ここで、開状態でメインＬＣＤモニタ３２に表示する表示例を図３(Ｂ)に示す。
【００６８】
つまり、メインＬＣＤモニタ３２に表示される模式図３８に対応するケースＣ２の上面の裏側には、アンテナ２４ａが存在する。そして、使用者は、メインＬＣＤモニタ３２に表示された模式図３８に対応するケースＣ２の上面において、アシストマーク３６が示す位置とリーダ／ライタとが重なるように、アンテナ２４ａの受信感度が良好に確保されている面、例えば、ケースＣ２の下面をリーダ／ライタに近接させればよい。
【００６９】
また、ＣＰＵ２２は、閉状態かつ磁気センサ２８の出力値が変化した場合に、磁気センサ２８の出力値からメインＬＣＤモニタ３２に対するアンテナ２４ａの位置の変化を検出し、検出結果に基づいてアシストマーク３６を移動させる。例えば、連続的に磁気センサ２８の値が変化する場合に、メインＬＣＤモニタ３２に対するアンテナ２４ａの位置も同様に変化するため、アシストマーク３６は、メインＬＣＤモニタ３２にアニメーションのように表示される。
【００７０】
つまり、ＣＰＵ２２は、図２(Ａ)の状態から図２(Ｃ)の状態になるようにスライドする場合に、閉状態では図３(Ｃ)に示す表示例のように、点線で描かれたアシストマーク３６の位置から実線で描かれたアシストマーク３６の位置まで段階的に移動させる。そして、使用者は、段階的に移動したアシストマーク３６の位置に対応して、メインＬＣＤモニタ３２に表示されたアシストマーク３６の位置とリーダ／ライタとが重なるように、アンテナ２４ａの受信感度が良好に確保されている面、例えば、ケースＣ２の下面をリーダ／ライタに近接させればよい。
【００７１】
ＣＰＵ２２は、図４に示すフェリカモード制御タスクおよび図５に示すアシスト制御タスクを含む複数のタスクを並列的に実行する。なお、これらのタスクに対応する制御プログラムはフラッシュメモリ２０に記憶され、さらに図３(Ａ)〜図３(Ｃ)に示す アシスト
マーク３６および模式図３８の画像データは、フラッシュメモリ２０に記憶され、アシスト制御タスクの処理に応じて、フラッシュメモリ２０から読み出される。
【００７２】
まず、フェリカモード制御タスクについて説明する。図４を参照して、ステップＳ１では、キー入力装置２６上でフェリカモード起動操作が行われたか否かを判定する。ここでＹＥＳであれば、フェリカ回路２４をオンすることが可能な状態にするため、ステップＳ３に進み、アシスト制御タスクを起動する。ここで、ＮＯであれば、ステップＳ１に戻り、キー入力装置２６上でフェリカモード起動操作が行われるまで、ステップＳ１の処理を繰り返す。続いてステップＳ５では、フェリカ回路２４を利用した近距離無線通信が行えるように、フェリカ回路２４をオンする。さらに続いてステップＳ７では、フェリカモー
ド停止操作がキー入力装置２６上で行われたか否かを判定する。ここでＮＯであれば、フェリカモード停止操作がキー入力装置２６上で行われるまで、ステップＳ７の処理を繰り返し行う。ここでＹＥＳであれば、フェリカ回路２４を利用した近距離無線通信を終了するために、ステップＳ９に進み、フェリカ回路２４をオフする。続いてステップＳ１１では、フェリカ回路２４を利用した近距離無線通信を終了しているため、アシスト制御タスクを終了してからステップＳ１に戻る。
【００７３】
次に、アシスト制御タスクについて説明する。
図５を参照して、ステップＳ１３では、磁気センサ２８の出力値が閾値以上か否かを判定する。ここでＮＯであれば、磁気センサ２８の出力値が閾値以下の状態のため、図２(Ｂ)および図２(Ｃ)に示す開状態となる。そして、ステップＳ１５に進み、メインＬＣＤモニタ３２に、ケースＣ２の上面の模式図３８を表示させ、ケースＣ２の上面に対するアンテナ２４ａの位置でアシストマーク３６を表示させる。続いてステップＳ１７では、磁気センサ２８の出力値が変化したか否かを判定する。ここでＹＥＳであれば、磁気センサ２８の出力が閾値以上か否かを再判定するために、ステップＳ１３に戻る。ここでＮＯであれば、ステップＳ１５に戻り、メインＬＣＤモニタ３２に、ケースＣ２の上面の模式図３８を表示させ、ケースＣ２の上面に対するアンテナ２４ａの位置でアシストマーク３６を表示させ続ける。
【００７４】
また、ステップＳ１３でＹＥＳであれば、磁気センサ２８の出力値が閾値以上の状態のため、図２(Ａ)に示す閉状態となる。そして、ステップＳ１９に進み、磁気センサ２８の出力値からメインＬＣＤモニタ３２に対するフェリカ回路２４の位置を特定する。続いてステップＳ２１では、メインＬＣＤモニタ３２に、ステップＳ１９で特定したフェリカ回路２４の位置でアシストマーク３６を表示させる。
【００７５】
さらに続いてステップＳ２３では、磁気センサ２８の出力値が変化したか否かを判定する。ここでＹＥＳであれば、磁気センサ２８の出力が閾値以上か否かを再判定するために、ステップＳ１３に戻る。ここでＮＯであれば、ステップＳ１９に戻り、ステップＳ１９−Ｓ２１の処理を繰り返すため、ステップＳ１９で特定したフェリカ回路２４の位置でアシストマーク３６を表示させ続ける。
【００７６】
また、閉状態である場合に、ケースＣ２に対してケースＣ１がスライドすると、ステップＳ１３およびステップＳ１９−Ｓ２３の処理を繰り返す。そのため、メインＬＣＤモニタ３２に対するアンテナ２４ａの位置も同様に変化するため、アシストマーク３６は、メインＬＣＤモニタ３２にアニメーションのように表示される。
【００７７】
以上の説明から分かるように、ケースＣ１およびケースＣ２の各々は、板状に形成される。メインＬＣＤモニタ３２は、ケースＣ１の上面に取り付けられる。フェリカ回路２４およびアンテナ２４ａは、ケースＣ２に内蔵される。スライド機構ＳＬは、ケースＣ２に対するケースＣ１の状態を遷移可能にケースＣ１とケースＣ２とを連結する。磁気センサ２８は、ケースＣ２に対するケースＣ１の状態を検知する。ステップＳ１３の処理は、メインＬＣＤモニタ３２の表示範囲にアンテナ２４ａが含まれるか否かを判定する。ステップＳ１３の判定がＹＥＳであれば、ステップＳ１５の処理は、メインＬＣＤモニタ３２に、メインＬＣＤモニタ３２に対するアンテナ２４ａの位置を示すアシストマーク３６を表示させる。ステップＳ１３の判定がＮＯであれば、ステップＳ２１の処理は、メインＬＣＤモニタ３２に、ケースＣ２の上面の模式図３８を表示させ、さらに、ケースＣ２の上面に対するアンテナ２４ａの位置でアシストマーク３６を表示させる。よって、フェリカ回路２４がリーダ／ライタとの近距離無線通信を行うときに、アンテナの位置が明確に認識できる。
【００７８】
なお、この第１実施例では、スライド機構ＳＬを採用しているが、第２実施例として、スライド機構ＳＬに代えて図６(Ａ)〜図６(Ｄ)に示す回転機構Ｋを採用してもよい。また、第３実施例として、スライド機構ＳＬに代えて、図８(Ａ)〜図８(Ｃ)，図９(Ａ)〜図９(Ｃ)，図１０および図１２(Ａ)〜図１２(Ｂ)に示すヒンジ機構Ｈ１またはヒンジ機構Ｈ２を採用してもよい。さらに、第４実施例として、スライド機構ＳＬにかえて代えて、図１５(Ａ)〜図１５(Ｃ)に示す回転機構Ｋおよびヒンジ機構Ｈ２を同時に採用してアシストしてもよい。そして、第５実施例として、図１９(Ａ)〜図１９(Ｃ)に示すケースＣ１のみのストレートタイプの携帯通信端末でアシスト制御タスクの処理を行ってもよい。
【００７９】
次に、第２実施例，第３実施例，第４実施例および第５実施例について説明する。
＜第２実施例＞  第２実施例では、回転機構Ｋは、図１に示す構成で、スライド機構ＳＬに代えて採用される。また、第２実施例は、第１実施例の説明で使用した図１の携帯通信端末１０の構成および図４のフェリカモード制御タスクの処理は同じであるため、第２実施例の説明ではそれらの図およびその説明を省略する。
【００８０】
図６(Ａ)〜図６(Ｄ)を参照して、フェリカ回路２４は、アンテナ２４ａがケースＣ２の下面において良好な受信感度が確保されるように、ケースＣ２に内蔵される。キー入力装置２６は操作キー群がケースＣ２の上面に露出するように、ケースＣ２に取り付けられる。磁気センサ２８はケースＣ２に内蔵される。磁石３０は、図６(Ａ)および図６(Ｂ)の状態の場合に、磁気センサ２８と一番近い状態になるように、ケースＣ１に内蔵される。
メインＬＣＤモニタ３２は、モニタ画面がケースＣ１の上面に露出するようにケースＣ１に取り付けられる。
【００８１】
回転機構Ｋは、ケースＣ２の外面の長さ方向一方寄りに、回転機構として形成される。ケースＣ１は長さ方向一方寄りの下面において回転機構Ｋと結合される。また、回転機構Ｋは、ケースＣ１をケースＣ２の上に積層した状態で、ケースＣ２の上面に対して垂直な軸ＡＸ１を基準としてケースＣ１を０度〜３６０度の範囲で回転させる。よって、ケースＣ１は、ケースＣ２に対して図６(Ａ)〜図６(Ｄ)に示す姿勢をとることができる。
【００８２】
磁気センサ２８は、図６(Ａ)および図６(Ｂ)に示す状態では最大値である２５５を出力し、図６(Ｄ)に示す状態では最小値である０を出力する。また、図６(Ｃ)に示す状態では、磁気センサ２８は、最小値を出力しないが開状態とみなす。そして、磁気センサ２８の出力値は、図６(Ａ)および図６(Ｂ)から図６(Ｄ)に回転すると、回転量に応じて小さくなる。つまり、図６(Ａ)および図６(Ｂ)に示す閉状態では、磁気センサ２８が最大値を出力し、図６(Ｄ)に示す開状態では、磁気センサ２８が最小値を出力する。
【００８３】
第２実施例では、ＣＰＵ２２の開状態と閉状態との切り替え処理における閾値は、メインＬＣＤモニタ３２の表示範囲内にアンテナ２４ａの位置が収まる限界位置まで回転した時の、磁力センサ２８の出力値とする。
【００８４】
図６(Ａ)〜図６(Ｄ)および図３(Ａ)〜図３(Ｂ)を参照して、第２実施例では模式図３８は、ケースＣ２の上面に取り付けられたキー入力装置２６の操作キー群を模式的に表す。
【００８５】
図６(Ａ)および図６(Ｂ)に示す閉状態では、アンテナ２４ａが内蔵されるケースＣ２の下面の裏側面は、メインＬＣＤモニタ３２が取り付けられるケースＣ１の上面とみなす。したがって、メインＬＣＤモニタ３２の表示範囲には、アンテナ２４ａの位置が含まれる。よって、第１実施例と同様に、メインＬＣＤモニタ３２は、メインＬＣＤモニタ３２の表示範囲に対するアンテナ２４ａの位置でアシストマーク３６を表示する。
【００８６】
つまり、メインＬＣＤモニタ３２に表示されるアシストマーク３６の裏側には、アンテ
ナ２４ａが存在する。そして、使用者は、メインＬＣＤモニタ３２に表示されたアシストマーク３６の位置とリーダ／ライタとが重なるように、アンテナ２４ａの受信感度が良好に確保されている面、例えば、ケースＣ２の下面をリーダ／ライタに近接させればよい。
【００８７】
図６(Ｃ)および図６(Ｄ)に示す開状態では、アンテナ２４ａの受信感度が良好に確保されているケースＣ２の下面の裏側面は、ケースＣ２の上面となる。したがって、メインＬＣＤモニタ３２の表示範囲には、アンテナ２４ａの位置が含まれない。よって、第１実施例と同様に、メインＬＣＤモニタ３２は、ケースＣ２の上面の模式図３８を表示し、ケースＣ２の上面に対するアンテナ２４ａの位置でアシストマーク３６を表示する。
【００８８】
つまり、メインＬＣＤモニタ３２に表示される模式図３８に対応するケースＣ２の上面の裏側には、アンテナ２４ａが存在する。そして、使用者は、メインＬＣＤモニタ３２に表示された模式図３８に対応するケースＣ２の上面において、アシストマーク３６が示す位置とリーダ／ライタとが重なるように、アンテナ２４ａの受信感度が良好に確保されている面、例えば、ケースＣ２の下面をリーダ／ライタに近接させればよい。
【００８９】
また、ＣＰＵ２２は、閉状態かつ磁気センサ２８の出力値が変化した場合に、磁気センサ２８の出力値からメインＬＣＤモニタ３２に対するアンテナ２４ａの位置の変化を検出し、検出結果に基づいてアシストマーク３６を移動させる。例えば、連続的に磁気センサ２８の値が変化する場合に、メインＬＣＤモニタ３２に対するアンテナ２４ａの位置も同様に変化するため、アシストマーク３６は、メインＬＣＤモニタ３２にアニメーションのように表示される。
【００９０】
つまり、ＣＰＵ２２は、図６(Ａ)および図６(Ｂ)の状態から図６(Ｃ)および図６(Ｄ)の状態になるように回転する場合に、閉状態ではアシストマーク３６の位置を段階的に移動させる。そして、使用者は、段階的に移動したアシストマーク３６の位置に対応して、メインＬＣＤモニタ３２に表示されたアシストマーク３６の位置とリーダ／ライタとが重なるように、アンテナ２４ａの受信感度が良好に確保されている面、例えば、ケースＣ２の下面をリーダ／ライタに近接させればよい。
【００９１】
ＣＰＵ２２は、第１実施例と同様に、図４に示すフェリカモード制御タスクおよび図５に示すアシスト制御タスクを含む複数のタスクを並列的に実行する。なお、第１実施例と同様に、これらのタスクに対応する制御プログラムはフラッシュメモリ２０に記憶され、さらに図３(Ａ)〜図３(Ｃ)に示す アシストマーク３６および模式図３８の画像データは
、フラッシュメモリ２０に記憶され、アシスト制御タスクの処理に応じて、フラッシュメモリ２０から読み出される。
【００９２】
第２実施例のフェリカモード制御タスクの処理は、第１実施例と同じため、省略する。第２実施例のアシスト制御タスクについて説明する。図５を参照して、ステップＳ１３では、磁気センサ２８の出力値が閾値以上か否かを判定する。ここでＮＯであれば、磁気センサ２８の出力値が閾値以下の状態のため、図６(Ｃ)および図６(Ｄ)に示す開状態となる。そして、ステップＳ１５に進み、メインＬＣＤモニタ３２に、ケースＣ２の上面の模式図３８を表示させ、ケースＣ２の上面に対するアンテナ２４ａの位置でアシストマーク３６を表示させる。続いてステップＳ１７では、磁気センサ２８の出力値が変化したか否かを判定する。ここでＹＥＳであれば、磁気センサ２８の出力が閾値以上か否かを再判定するために、ステップＳ１３に戻る。ここでＮＯであれば、ステップＳ１５に戻り、メインＬＣＤモニタ３２に、ケースＣ２の上面の模式図３８を表示させ、ケースＣ２の上面に対するアンテナ２４ａの位置でアシストマーク３６を表示させ続ける。
【００９３】
また、ステップＳ１３でＹＥＳであれば、磁気センサ２８の出力値が閾値以上の状態の
ため、図６(Ａ)および図６(Ｂ)に示す閉状態となる。そして、ステップＳ１９に進み、磁気センサ２８の出力値からメインＬＣＤモニタ３２に対するフェリカ回路２４の位置を特定する。続いてステップＳ２１では、メインＬＣＤモニタ３２に、ステップＳ１９で特定したフェリカ回路２４の位置でアシストマーク３６を表示させる。
【００９４】
さらに続いてステップＳ２３では、磁気センサ２８の出力値が変化したか否かを判定する。ここでＹＥＳであれば、磁気センサ２８の出力が閾値以上か否かを再判定するために、ステップＳ１３に戻る。ここでＮＯであれば、ステップＳ１９に戻り、ステップＳ１９−Ｓ２１の処理を繰り返すため、ステップＳ１９で特定したフェリカ回路２４の位置でアシストマーク３６を表示させ続ける。
【００９５】
また、閉状態である場合に、ケースＣ２に対してケースＣ１が回転すると、ステップＳ１３およびステップＳ１９−Ｓ２３の処理を繰り返す。そのため、メインＬＣＤモニタ３２に対するアンテナ２４ａの位置も同様に変化するため、アシストマーク３６は、メインＬＣＤモニタ３２にアニメーションのように表示される。
＜第３実施例＞  第３実施例では、ヒンジ機構Ｈ１またはヒンジ機構Ｈ２は、図７に示す構成で、スライド機構ＳＬに代えて採用される。また、第３実施例は、第１実施例の説明で使用した図４のフェリカモード制御タスクの処理は同じであるため、第３実施例の説明では図４の説明を省略する。
【００９６】
図７を参照して、第３実施例の携帯通信端末１０は、第１実施例の携帯通信端末１０に対してサブＬＣＤモニタ３４をさらに備える。
【００９７】
図８(Ａ)〜図８(Ｃ)，図９(Ａ)〜図９(Ｃ)および図１０を参照して、図８(Ａ)〜図８(
Ｃ)では、フェリカ回路２４は、アンテナ２４ａがケースＣ１の外側面において良好な受
信感度が確保されるように、ケースＣ１に内蔵され、図９(Ａ)〜図９(Ｃ)では、フェリカ回路２４は、アンテナ２４ａがケースＣ２の外側面において良好な受信感度が確保されるように、ケースＣ２に内蔵される。キー入力装置２６は操作キー群がケースＣ２の内側面に露出するように、ケースＣ２に取り付けられる。磁気センサ２８はケースＣ２に内蔵される。磁石３０は、図８(Ａ)〜図８(Ｃ)および図９(Ａ)〜図９(Ｃ)の状態の場合に、磁気センサ２８と一番近い状態になるように、ケースＣ１に内蔵される。メインＬＣＤモニタ３２はモニタ画面がケースＣ２の内側面に露出するようにケースＣ１に取り付けられる。サブＬＣＤモニタ３４はモニタ画面がケースＣ１のメインＬＣＤモニタ３２が取り付けられる内側面とは反対の外側面に露出するようにケースＣ１に取り付けられる。また、図８(Ａ)および図９(Ａ)では、サブＬＣＤモニタ３４はケースＣ１に取り付けられない。
【００９８】
ヒンジ機構Ｈ１は、ケースＣ２の内側面の長さ方向一方寄りに、ヒンジ機構として形成される。ケースＣ１は長さ方向一方端の側面においてヒンジ機構Ｈ１と結合される。また、ヒンジ機構Ｈ１は、ケースＣ１をケースＣ２の上に積層した状態で、ケースＣ２の内側面の短辺と平行な軸ＡＸ２を基準としてケースＣ１を可動させる。つまり、軸ＡＸ２を基準とした回転により、ケースＣ１とケースＣ２とを開閉させる。よって、ケースＣ１は、ケースＣ２に対して図８(Ａ)〜図８(Ｃ)，図９(Ａ)〜図９(Ｃ)および図１０に示す姿勢をとることができる。
【００９９】
磁気センサ２８は、図８(Ａ)〜図８(Ｃ)および図９(Ａ)〜図９(Ｃ)に示す状態では最大値である２５５を出力し、図１０に示す状態では最小値である０を出力する。つまり、図８(Ａ)〜図８(Ｃ)および図９(Ａ)〜図９(Ｃ)に示す閉状態では、磁気センサ２８が最大値を出力し、図１０に示す開状態では、磁気センサ２８が最小値を出力する。
【０１００】
ＣＰＵ２２の開状態と閉状態との切り替え処理は、第１実施例および第２実施例で採用
した閾値ではなく、磁気センサ２８の出力が最大値か否かで判定する。
【０１０１】
サブＬＣＤモニタ３４は、アシストマーク３６，模式図３８および文字列を表示することができる。
【０１０２】
図８(Ａ)〜図８(Ｃ)，図９(Ａ)〜図９(Ｃ)，図１０および図３(Ａ)〜図３(Ｂ)を参照して、第３実施例では模式図３８は、ケースＣ２の内側面に取り付けられたキー入力装置２６の操作キー群を模式的に表す。また、図８(Ａ)および図９(Ａ)では、サブＬＣＤモニタ３４はケースＣ１に取り付けられていない。
【０１０３】
図８(Ａ)〜図８(Ｃ)に示す閉状態では、アンテナ２４ａの受信感度が良好に確保されているケースＣ１の外側面の裏側面は、メインＬＣＤモニタ３２が取り付けられるケースＣ１の内側面となる。したがって、メインＬＣＤモニタ３２の表示範囲には、アンテナ２４ａの位置が含まれる。しかし、閉状態ではメインＬＣＤモニタ３２は表示できない。よって、サブＬＣＤモニタ３４は、ケース１の外側面に取り付けられる。また、サブＬＣＤモニタ３４の取り付け位置については、図８(Ｃ)に示す。サブＬＣＤモニタ３４は、メインＬＣＤモニタ３２を確認するように促す文字列を表示する。ここで、メインＬＣＤモニタ３２の確認を促す文字列の表示例を図１１に示す。つまり、使用者は、サブＬＣＤモニタ３４に表示された文字列に従い、図１０に示す開状態にして、メインＬＣＤモニタ３２を確認すればよい。
【０１０４】
図９(Ａ)〜図９(Ｃ)に示す閉状態では、アンテナ２４ａの受信感度が良好に確保されているケースＣ２の外側面の裏側面は、サブＬＣＤモニタ３４が取り付けられるケースＣ１の外側面とみなす。したがって、サブＬＣＤモニタ３４の表示範囲には、アンテナ２４ａの位置が含まれる。よって、図８(Ｃ)と同様にして、サブＬＣＤモニタ３４は、ケース１の外側面に取り付けられる。また、サブＬＣＤモニタ３４の取り付け位置については、図９(Ｃ)に示す。サブＬＣＤモニタ３４は、サブＬＣＤモニタ３４の表示範囲に対するアンテナ２４ａの位置でアシストマーク３６を表示する。
【０１０５】
つまり、サブＬＣＤモニタ３４に表示されるアシストマーク３６の裏側には、アンテナ２４ａが存在する。そして、使用者は、サブＬＣＤモニタ３４に表示されたアシストマーク３６の位置とリーダ／ライタとが重なるように、アンテナ２４ａの受信感度が良好に確保されている面、例えば、ケースＣ２の外側面をリーダ／ライタに近接させればよい。
【０１０６】
図１０に示す開状態では、アンテナ２４ａの受信感度が良好に確保されている面によってメインＬＣＤモニタ３２の表示内容が異なる。
【０１０７】
アンテナ２４ａの受信感度が良好に確保されている面がケースＣ１の外側面の場合には、アンテナ２４ａの受信感度が良好に確保されているケースＣ１の外側面の裏側面は、メインＬＣＤモニタ３２が取り付けられるケースＣ１の内側面となる。したがって、メインＬＣＤモニタ３２の表示範囲には、アンテナ２４ａの位置が含まれる。よって、第１実施例と同様に、メインＬＣＤモニタ３２は、メインＬＣＤモニタ３２の表示範囲に対するアンテナ２４ａの位置でアシストマーク３６を表示する。
【０１０８】
つまり、メインＬＣＤモニタ３２に表示されるアシストマーク３６の裏側には、アンテナ２４ａが存在する。そして、使用者は、メインＬＣＤモニタ３２に表示されたアシストマーク３６の位置とリーダ／ライタとが重なるように、アンテナ２４ａの受信感度が良好に確保されている面、例えば、ケースＣ１の外側面をリーダ／ライタに近接させればよい。
【０１０９】
アンテナ２４ａの受信感度が良好に確保されている面がケースＣ２の外側面の場合には、アンテナ２４ａの受信感度が良好に確保されているケースＣ２の外側面の裏側面は、ケースＣ２の内側面となる。したがって、メインＬＣＤモニタ３２の表示範囲には、アンテナ２４ａの位置が含まれない。よって、メインＬＣＤモニタ３２は、ケースＣ２の内側面の模式図３８を表示し、さらに、ケースＣ２の内側面に対するアンテナ２４ａの位置でアシストマーク３６を表示する。
【０１１０】
さらに、図１０に示す開状態で、サブＬＣＤモニタ３４がケースＣ１の外側面に取り付けられる場合には、サブＬＣＤモニタ３４は、メインＬＣＤモニタ３２を確認するように促す文字列を表示する。
【０１１１】
つまり、使用者は、サブＬＣＤモニタ３４に表示された文字列に従い、図１０に示す開状態にして、メインＬＣＤモニタ３２を確認すればよい。
【０１１２】
図１２(Ａ)および図１２(Ｂ)を参照して、ヒンジ機構Ｈ２は、軸ＡＸ２に加えて軸ＡＸ３を備える。フェリカ回路２４は、ケースＣ２の外側面において良好な受信感度が確保されるように、ケースＣ２に内蔵される。
【０１１３】
ヒンジ機構Ｈ２は、ケースＣ１をケースＣ２の上に積層した状態でケースＣ２の内側面の短辺と平行な軸ＡＸ２を基準としてケースＣ１を可動させると共に、軸ＡＸ２に直交しかつケースＣ１の内側面に並行な軸ＡＸ３を基準としてケースＣ１を回転させる。つまり、軸ＡＸ３を基準とした回転により、ケースＣ１の面の向きを反転させる。よって、ケースＣ１は、ケースＣ２に対して図１２(Ａ)および図１２(Ｂ)に示す状態をさらに取ることが可能になる。
【０１１４】
ヒンジ機構Ｈ２を採用する場合に、磁気センサ２８は、図８(Ａ)〜図８(Ｃ)，図９(Ａ)〜図９(Ｃ)および図１２(Ｂ)に示す状態では最大値である２５５を出力し、図１０および図１２(Ａ)に示す状態では最小値である０を出力する。つまり、図８(Ａ)〜図８(Ｃ)，図９(Ａ)〜図９(Ｃ)および図１２(Ｂ)に示す閉状態では、磁気センサ２８が最大値を出力し、図１２(Ａ)に示す開状態では、磁気センサ２８が最小値を出力する。
【０１１５】
アシスト制御中の図１２(Ａ)および図１２(Ｂ)の状態ではサブＬＣＤモニタ３４とメインＬＣＤモニタ３２の表示内容を入れ替えてもよい。
【０１１６】
したがって、図１２(Ａ)に示す開状態では、アンテナ２４ａの受信感度が良好に確保されている面がケースＣ２の外側面の場合には、アンテナ２４ａの受信感度が良好に確保されているケースＣ２の外側面の裏側面は、ケースＣ２の内側面となる。したがって、サブＬＣＤモニタ３４の表示範囲に、アンテナ２４ａの位置が含まれない。よって、サブＬＣＤモニタ３４は、ケースＣ２の内側面の模式図３８を表示し、さらに、ケースＣ２の内側面に対するアンテナ２４ａの位置でアシストマーク３６を表示する。また、メインＬＣＤモニタ３２は、サブＬＣＤモニタ３４を確認するように促す文字列を表示する。
【０１１７】
また、図１２(Ｂ)に示す閉状態では、アンテナ２４ａの受信感度が良好に確保されているケースＣ２の外側面の裏側面は、メインＬＣＤモニタ３２が取り付けられるケースＣ１の外側面とみなす。したがって、メインＬＣＤモニタ３２の表示範囲には、アンテナ２４ａの位置が含まれる。よって、メインＬＣＤモニタ３２は、メインＬＣＤモニタ３２の表示範囲に対するアンテナ２４ａの位置でアシストマーク３６を表示する。
【０１１８】
ＣＰＵ２２は、図４に示すフェリカモード制御タスクおよび図１３および図１４に示すアシスト制御タスクを含む複数のタスクを並列的に実行する。なお、これらのタスクに対
応する制御プログラムはフラッシュメモリ２０に記憶され、さらに図３(Ａ)〜図３(Ｃ)に示す アシストマーク３６および模式図３８の画像データと、図１１に示す文字列の文字
データとは、フラッシュメモリ２０に記憶され、アシスト制御タスクの処理に応じて、フラッシュメモリ２０から読み出される。
【０１１９】
第３実施例のフェリカモード制御タスクの処理は、第１実施例と同じため、省略する。図１３および図１４を参照して、アシスト制御タスクの処理について説明する。ステップＳ２５では、フェリカ回路２４がケースＣ１に内蔵されているか否かを判定する。判定結果は、図８(Ａ)〜図８(Ｃ)および図１０示す状態に対応してＹＥＳを示し、図９(Ａ)〜図９(Ｃ)，図１０および図１２(Ａ)〜図１２(Ｂ)示す状態に対応してＮＯを示す。ここで、図１０は、ＹＥＳの判定およびＮＯの判定のどちらにも含まれる。
【０１２０】
ステップＳ２５でＹＥＳであれば、ステップＳ２７に進み、サブＬＣＤモニタ３４があるか否かを判定する。判定結果は、図８(Ｂ)，図８(Ｃ)および図１０示す状態に対応してＹＥＳを示し、図８(Ａ)および図１０示す状態に対応してＮＯを示す。ここで、図１０は、ＹＥＳの判定およびＮＯの判定のどちらにも含まれる。
【０１２１】
ステップＳ２７でＹＥＳであればステップＳ２９に進み、磁気センサ２８の出力値が最大値か否かを判定する。ここでＹＥＳであれば、図８(Ｂ)または図８(Ｃ)に示す閉状態のため、ステップＳ３１に進む。そして、閉状態ではメインＬＣＤモニタ３２にアシストマーク３６を表示できないと判断する。ステップＳ２９でＮＯであれば、図１０に示す開状態のため、ステップＳ３５に進む。そして、メインＬＣＤモニタ３２に、メインＬＣＤモニタ３２に対するアンテナ２４ａの位置でアシストマーク３６を表示させる。
【０１２２】
さらに、ステップＳ３１またはステップＳ３５の処理が完了すれば、ステップＳ３３に進み、サブＬＣＤモニタ３４に、メインＬＣＤモニタ３２を確認するように促す文字列を表示させる。そして、ステップＳ３３の処理が完了すると、磁気センサ２８の出力が最大値か否かを再判定するために、ステップＳ２９に戻る。
【０１２３】
また、ステップＳ２７でＮＯであれば、ステップＳ３７に進み、磁気センサ２８の出力値が最大値か否かを判定する。ここでＹＥＳであれば、図８(Ａ)に示す閉状態のため、ステップＳ３９に進む。そして、閉状態ではメインＬＣＤモニタ３２にアシストマーク３６を表示できないと判断する。ステップＳ３７でＮＯであれば、図１０に示す開状態のため、ステップＳ４１に進む。そして、メインＬＣＤモニタ３２に、メインＬＣＤモニタ３２に対するアンテナ２４ａの位置でアシストマーク３６を表示させる。
【０１２４】
さらに、ステップＳ３１またはステップＳ３５の処理が完了すれば、磁気センサ２８の出力が最大値か否かを再判定するために、ステップＳ３７に戻る。
【０１２５】
また、ステップＳ２５でＮＯであれば、ＣＰＵ２２はＳ４３へ進み、サブＬＣＤモニタ３４があるか否かを判定する。判定結果は、図９(Ｂ)，図９(Ｃ)，図１０および図１２(
Ａ)〜図１２(Ｂ)に示す状態に対応してＹＥＳを示し、図９(Ａ)および図１０に示す状態
に対応してＮＯを示す。ここで、図１０は、ＹＥＳの判定およびＮＯの判定のどちらにも含まれる。
【０１２６】
ステップＳ４３でＹＥＳであればステップＳ４５に進み、磁気センサ２８の出力値が最大値か否かを判定する。ここでＹＥＳであれば、図９(Ｂ)〜図９(Ｃ)および図１２(Ｂ)に示す閉状態のため、ステップＳ４７に進む。そして、閉状態ではメインＬＣＤモニタ３２およびサブＬＣＤモニタ３４にアシストマーク３６を表示できないと判断する。続いてステップＳ４９では、図９(Ｂ)〜図９(Ｃ)に示す状態ならば、サブＬＣＤモニタ３４に、サ
ブＬＣＤモニタ３４に対するアンテナ２４ａの位置でアシストマーク３６を表示させる。図１２(Ｂ)に示す状態ならば、メインＬＣＤモニタ３２に、メインＬＣＤモニタ３２に対するアンテナ２４ａの位置でアシストマーク３６を表示させる。
【０１２７】
ステップＳ４５でＮＯであれば、図１０および図１２(Ａ)に示す開状態のため、ステップＳ５１に進む。そして、図１０に示す状態ならば、メインＬＣＤモニタ３２に、ケースＣ２の内側面の模式図３８を表示させ、さらに、ケースＣ２の内側面に対するアンテナ２４ａの位置でアシストマーク３６を表示させる。図１２(Ａ)に示す状態ならば、サブＬＣＤモニタ３４に、ケースＣ２の内側面の模式図３８を表示させ、さらに、ケースＣ２の内側面に対するアンテナ２４ａの位置でアシストマーク３６を表示させる。
【０１２８】
続いて、ステップＳ５３では、図１０に示す状態ならば、サブＬＣＤモニタ３４に、メインＬＣＤモニタ３２を確認するように促す文字列を表示させる。図１２(Ａ)に示す状態ならば、メインＬＣＤモニタ３２に、サブＬＣＤモニタ３４を確認するように促す文字列を表示させる。
【０１２９】
さらに、ステップＳ４９またはステップＳ５３の処理が完了すれば、磁気センサ２８の出力が最大値か否かを再判定するために、ステップＳ４５に戻る。
【０１３０】
また、ステップＳ４３でＮＯであれば、ステップＳ５５に進み、磁気センサ２８の出力値が最大値か否かを判定する。ここでＹＥＳであれば、図９(Ａ)に示す閉状態のため、ステップＳ５７に進む。そして、閉状態ではメインＬＣＤモニタ３２にアシストマーク３６を表示できないと判断する。ステップＳ５５でＮＯであれば、図１０に示す開状態のため、ステップＳ５９に進む。そして、メインＬＣＤモニタ３２に、ケースＣ２の内側面の模式図３８を表示させ、さらに、ケースＣ２の内側面に対するアンテナ２４ａの位置でアシストマーク３６を表示させる。さらに、ステップＳ５７またはステップＳ５９の処理が完了すれば、磁気センサ２８の出力が最大値か否かを再判定するために、ステップＳ５５に戻る。
【０１３１】
なお、この第３実施例では、ヒンジ機構Ｈ１またはヒンジ機構Ｈ２は、ケースＣ２の内側面の長さ方向他方寄りに、ヒンジ機構として形成され、さらにケースＣ１は長さ方向他方端の側面においてヒンジ機構Ｈ１またはヒンジ機構Ｈ２と結合されてもよい。
＜第４実施例＞  第４実施例では、回転機構Ｋおよびヒンジ機構Ｈ２は、スライド機構ＳＬに代えて同時に採用される。また、第４実施例は、第１実施例の説明で使用した図４のフェリカモード制御タスクの処理，第３実施例の説明で使用した図７の携帯通信端末１０の構成，および図１１の表示例は同じであるため、第４実施例の説明ではそれらの図およびその説明を省略する。
【０１３２】
図９(Ａ)〜図９(Ｃ)，図１０，図１２(Ａ)〜図１２(Ｂ)および図１５(Ａ)〜図１５(Ｃ)を参照して、図９(Ａ)〜図９(Ｃ)および図１０では、ヒンジ機構Ｈ１の代わりにヒンジ機構Ｈ２を採用し、さらに回転機構Ｋを備えているとみなす。そして、図１２(Ａ)〜図１２(Ｂ)では、回転機構Ｋをさらに備えているとみなす。フェリカ回路２４は、アンテナ２４ａがケースＣ２の外側面において良好な受信感度が確保されるように、ケースＣ２に内蔵される。
【０１３３】
キー入力装置２６は操作キー群がケースＣ２の内側面に露出するように、ケースＣ２に取り付けられる。磁気センサ２８はケースＣ２に内蔵される。磁石３０は、図９(Ａ)〜図９(Ｃ)の状態の場合に、磁気センサ２８と一番近い状態になるように、ケースＣ１に内蔵される。メインＬＣＤモニタ３２はモニタ画面がケースＣ１の内側面に露出するようにケースＣ１に取り付けられる。
【０１３４】
サブＬＣＤモニタ３４は、モニタ画面がケースＣ１のメインＬＣＤモニタ３２が取り付けられている内側面とは反対の外側面に露出するようにケースＣ１に取り付けられる。また、図９(Ａ)および図１５(Ａ)では、サブＬＣＤモニタ３４はケースＣ１に取り付けられない。
【０１３５】
回転機構Ｋおよびヒンジ機構Ｈ１は、ケースＣ２の内側面の長さ方向一方寄りに、回転機構Ｋおよびヒンジ機構Ｈ２を結合された状態で形成される。また、ヒンジ機構Ｈ２は、軸ＡＸ１軸が軸ＡＸ２軸と軸ＡＸ３軸との交点と交わるように、回転機構Ｋと結合される。
【０１３６】
ケースＣ１は長さ方向一方端の側面においてヒンジ機構Ｈ２と結合される。また、回転機構Ｋおよびヒンジ機構Ｈ２は、ケースＣ１をケースＣ２の上に積層した状態でケースＣ１をケースＣ２の内側面に対して垂直な軸ＡＸ１を基準としてケースＣ１を０度〜３６０度の範囲で回転させ、さらに、ケースＣ２の内側面の短辺と平行な軸ＡＸ２を基準としてケースＣ１を可動させると共に、軸ＡＸ２に直交しかつケースＣ１の内側面に並行な軸ＡＸ３を基準としてケースＣ１を回転させる。つまり、軸ＡＸ２を基準とした回転により、第１ケースと第２ケースとを開閉させる。さらに、軸ＡＸ３を基準とした回転により、第１ケースの面の向きを反転させる。よって、第４実施例では、図９(Ａ)〜図９(Ｃ)，図１０，図１２(Ａ)〜図１２(Ｂ)に示す姿勢に加えて、図１５(Ａ)〜図１５(Ｃ)に示す姿勢をさらにとることができる。
【０１３７】
磁気センサ２８は、図９(Ａ)〜図９(Ｃ)および図１２(Ｂ)に示す状態では最大値である２５５を出力し、図１０および図１２(Ａ)に示す状態では最小値である０を出力する。つまり、図９(Ａ)〜図９(Ｃ)および図１２(Ｂ)に示す閉状態では、磁気センサ２８が最大値を出力し、図１２(Ａ)に示す開状態では、磁気センサ２８が最小値を出力する。さらに、図１０，および図１５(Ａ)〜図１５(Ｃ)に示す状態では、磁気センサ２８は、最小値を出力しないが開状態とみなす。
【０１３８】
そして、磁気センサ２８の出力値は、図９(Ｂ)および図９(Ｃ)から図１２(Ａ)に回転すると、回転量に応じて小さくなる。開状態と閉状態との切り替え処理における閾値は、サブＬＣＤモニタ３４の表示範囲内にフェリカ回路２４が収まる限界位置まで回転した時の、磁力センサ２８の出力値とする。
【０１３９】
また、図９(Ａ)〜図９(Ｃ)、図１０および図１２(Ａ)〜図１２(Ｂ)に示す状態では、第３実施例と同様に、図３(Ａ)に示すアシストマーク３６、図３(Ｂ)に示す模式図３８および図１１に示す文字列を表示させる。また、フェリカ回路２４が図９(Ｂ)に示す位置に内蔵されている場合に、アシスト制御中の図１２(Ｃ)の状態ではサブＬＣＤモニタ３４およびメインＬＣＤモニタ３２の表示内容を入れ替えてもよい。
【０１４０】
図１５(Ａ)〜図１５(Ｃ)および図３(Ａ)〜図３(Ｂ)を参照して、第４実施例では模式図３８は、ケースＣ２の内側面に取り付けられたキー入力装置２６の操作キー群を模式的に表す。
【０１４１】
図１５(Ａ)に示す開状態では、アンテナ２４ａの受信感度が良好に確保されているケースＣ２の外側面の裏側面は、ケースＣ２の内側面となる。したがって、メインＬＣＤモニタ３２の表示範囲には、アンテナ２４ａの位置が含まれない。よって、メインＬＣＤモニタ３２は、ケースＣ２の内側面の模式図３８を表示し、さらに、ケースＣ２の内側面に対するアンテナ２４ａの位置でアシストマーク３６を表示する。
【０１４２】
図１５(Ｂ)に示す開状態では、図１５(Ａ)に示す状態と同様に、アンテナ２４ａの受信感度が良好に確保されているケースＣ２の外側面の裏側面は、ケースＣ２の内側面となる。したがって、サブＬＣＤモニタ３４の表示範囲には、アンテナ２４ａの位置が含まれない。よって、サブＬＣＤモニタ３４は、ケースＣ２の内側面の模式図３８を表示し、さらに、ケースＣ２の内側面に対するアンテナ２４ａの位置でアシストマーク３６を表示する。そして、メインＬＣＤモニタ３２は、図１５(Ａ)に示す状態と同様に、ケースＣ２の内側面の模式図３８を表示し、さらに、ケースＣ２の内側面に対するアンテナ２４ａの位置でアシストマーク３６を表示する。
【０１４３】
図１５(Ｃ)に示す開状態では、図１５(Ｂ)に示す状態と同様に、メインＬＣＤモニタ３２およびサブＬＣＤモニタ３４は、ケースＣ２の内側面の模式図３８を表示し、さらに、ケースＣ２の内側面に対するアンテナ２４ａの位置でアシストマーク３６を表示する。
【０１４４】
つまり、メインＬＣＤモニタ３２およびサブＬＣＤモニタ３４に表示される模式図３８に対応するケースＣ２の内側面の裏側には、アンテナ２４ａが存在する。そして、使用者は、メインＬＣＤモニタ３２に表示されたアシストマーク３６の位置とリーダ／ライタとが重なるように、アンテナ２４ａの受信感度が良好に確保されている面、例えば、ケースＣ２の外側面をリーダ／ライタに近接させればよい。
【０１４５】
また、ＣＰＵ２２は、閉状態かつ磁気センサ２８の出力値が変化した場合に、磁気センサ２８の出力値からメインＬＣＤモニタ３２に対するアンテナ２４ａの位置の変化を検出し、検出結果に基づいてアシストマーク３６を移動させる。例えば、連続的に磁気センサ２８の値が変化する場合に、メインＬＣＤモニタ３２に対するアンテナ２４ａの位置も同様に変化するため、アシストマーク３６は、メインＬＣＤモニタ３２にアニメーションのように表示される。
【０１４６】
つまり、ＣＰＵ２２は、図１２(Ｂ)の状態から図１０の状態になるように回転する場合に、閉状態ではアシストマーク３６の位置を段階的に移動させる。そして、使用者は、段階的に移動したアシストマーク３６の位置に対応して、メインＬＣＤモニタ３２に表示されたアシストマーク３６の位置とリーダ／ライタとが重なるように、アンテナ２４ａの受信感度が良好に確保されている面、例えば、ケースＣ２の外側面をリーダ／ライタに近接させればよい。
【０１４７】
ＣＰＵ２２は、図４に示すフェリカモード制御タスクと、図１６および図１７に示すアシスト制御タスクとを含む複数のタスクを並列的に実行する。なお、これらのタスクに対応する制御プログラムはフラッシュメモリ２０に記憶され、さらに図３(Ａ)〜図３(Ｃ)に示す アシストマーク３６および模式図３８の画像データと、図１１に示す文字列の文字
データとは、フラッシュメモリ２０に記憶され、アシスト制御タスクの処理に応じて、フラッシュメモリ２０から読み出される。
【０１４８】
第４実施例のフェリカモード制御タスクの処理は、第１実施例と同じため、省略する。図１６および図１７を参照して、アシスト制御タスクの処理について説明する。ステップＳ６１では、磁気センサ２８の出力値が最小または最大値か否かを判定する。判定結果は、図９(Ａ)〜図９(Ｃ)，図１０および図１２(Ａ)〜図１２(Ｂ)に示す状態に対応してＹＥＳを示し、図１５(Ａ)〜図１５(Ｃ)示す状態に対応してＮＯを示す。
【０１４９】
ステップＳ６１でＹＥＳであれば、磁気センサ２８の出力値の変化は、ヒンジ機構Ｈ２によるケースＣ１の回転とみなし、ヒンジ機構Ｈ２に第３実施例と同様に、ステップ４３−Ｓ５９の処理をする。そして、ステップＳ４９またはステップＳ５３の処理が完了すると、ステップＳ６１に戻る。さらに、ステップＳ５７またはステップＳ５９の処理が完了
すると、ステップＳ６１に戻る。また、ステップＳ６１でＮＯであれば、回転機構ＫによるケースＣ１の回転とみなし、ステップＳ６３に進む。ステップＳ６３では、図１５(Ａ)および図１５(Ｂ)に示す状態ならば、メインＬＣＤモニタ３２は、ケースＣ２の内側面の模式図３８を表示し、さらに、ケースＣ２の内側面に対するアンテナ２４ａの位置でアシストマーク３６を表示する。図１５(Ｃ)に示す状態ならば、サブＬＣＤモニタ３４に、ケースＣ２の上面の模式図３８を表示させ、さらに、ケースＣ２の上面に対するアンテナ２４ａの位置でアシストマーク３６を表示させる。
【０１５０】
続いてステップＳ６５では、サブＬＣＤモニタ３４があるか否かを判定する。
判定結果は、図１５(Ｂ)または図１５(Ｃ)に示す状態に対応してＹＥＳを示し、図１５(
Ａ)示す状態に対応してＮＯを示す。ステップＳ６５でＹＥＳであれば、ステップＳ６７
に進み、磁気センサ２８の出力値が閾値以上か否かを判定する。ここでＮＯであれば、磁気センサ２８の出力値が閾値以下の状態のため、図１５(Ｂ)および図１５(Ｃ)に示す開状態となる。そして、ステップＳ６９に進み、図１５(Ｂ)に示す状態ならば、サブＬＣＤモニタ３４に、ケースＣ２の上面の模式図３８を表示させ、さらに、ケースＣ２の上面に対するアンテナ２４ａの位置でアシストマーク３６を表示させる。図１５(Ｃ)に示す状態ならば、メインＬＣＤモニタ３２に、ケースＣ２の上面の模式図３８を表示させ、さらに、ケースＣ２の上面に対するアンテナ２４ａの位置でアシストマーク３６を表示させる。
【０１５１】
続いてステップＳ７１では、磁気センサ２８の出力値が変化したか否かを判定する。ここでＹＥＳであれば、磁気センサ２８の出力値が最小または最大値か否かを再判定するために、ステップＳ６１に戻る。ここでＮＯであれば、ステップＳ６９に戻り、図１５(Ｂ)に示す状態ならば、サブＬＣＤモニタ３４に、ケースＣ２の上面の模式図３８を表示させ、さらに、ケースＣ２の上面に対するアンテナ２４ａの位置でアシストマーク３６を表示させる。図１５(Ｃ)に示す状態ならば、メインＬＣＤモニタ３２に、ケースＣ２の上面の模式図３８を表示させ、さらに、ケースＣ２の上面に対するアンテナ２４ａの位置でアシストマーク３６を表示させ続ける。
【０１５２】
また、ステップＳ６７でＹＥＳであれば、磁気センサ２８の出力値が閾値以上の状態のため、閉状態となる。そして、ステップＳ７３に進み、磁気センサ２８の出力値からメインＬＣＤモニタ３２に対するフェリカ回路２４の位置を特定する。続いてステップＳ７５では、ステップＳ７３で特定したフェリカ回路２４の位置に基づいて、メインＬＣＤモニタ３２に、ステップＳ７３で特定したフェリカ回路２４の位置でアシストマーク３６を表示させる。
【０１５３】
さらに続いてステップＳ７７では磁気センサ２８の出力値が変化したか否かを判定する。ここでＹＥＳであれば、磁気センサ２８の出力値が最小または最大値か否かを再判定するために、ステップＳ６１に戻る。ここでＮＯであれば、ステップＳ７３に戻り、ステップＳ１９−Ｓ２１の処理を繰り返すため、ステップＳ７３で特定したフェリカ回路２４の位置でアシストマーク３６を表示させ続ける。
【０１５４】
また、閉状態である場合に、ケースＣ２に対してケースＣ１がスライドすると、ステップＳ６７およびステップＳ７３−Ｓ７７の処理を繰り返す。そのため、メインＬＣＤモニタ３２に対するアンテナ２４ａの位置も同様に変化するため、アシストマーク３６は、サブＬＣＤモニタ３４にアニメーションのように表示される。
【０１５５】
なお、第４実施例では、特開２００１−１５６８９３または特開２００３−３３８８６６のように、メインＬＣＤモニタ３２がケースＣ１の主側面に対して可動してもよい。また、ヒンジ機構Ｈ２の代わりにヒンジ機構Ｈ１を用いてもよい。
＜第５実施例＞  第５実施例では、ストレートタイプの携帯通信端末は、図１８に示す構
成で、磁気センサ２８を採用しなくてもよい。また、第５実施例は、第１実施例の説明で使用した図４のフェリカモード制御タスクの処理は同じであるため、第５実施例の説明では図４の説明を省略する。
【０１５６】
図１８を参照して、第５実施例の携帯通信端末１０は、第１実施例の携帯通信端末１０に対して磁気センサ２８および磁石３０を含まない。
【０１５７】
図１９(Ａ)〜図１９(Ｃ)を参照して、ケースＣ１のみの第５実施例の携帯通信端末は、フェリカ回路２４は図１９(Ｂ)または図１９(Ｃ)に示す位置に内蔵される。キー入力装置２６は操作キー群がケースＣ１の主面に露出するように、ケースＣ１に取り付けられる。メインＬＣＤモニタ３２はモニタ画面がケースＣ１の主面に露出するようにケースＣ１に取り付けられる。フェリカ回路２４は、アンテナ２４ａがケースＣ１の他面において良好な受信感度が確保されるように、ケースＣ１に内蔵される。
【０１５８】
図１９(Ａ)〜図１９(Ｃ)および図３(Ａ)〜図３(Ｂ)を参照して、模式図３８は、ケースＣ１の主面に取り付けられたキー入力装置２６の操作キー群を模式的に表す。
【０１５９】
図１９(Ａ)および図１９(Ｂ)に示す状態では、アンテナ２４ａの受信感度が良好に確保されているケースＣ１の他面の裏側面は、メインＬＣＤモニタ３２が取り付けられるケースＣ１の主面となる。したがって、メインＬＣＤモニタ３２の表示範囲には、アンテナ２４ａの位置が含まれる。よって、メインＬＣＤモニタ３２は、メインＬＣＤモニタ３２の表示範囲に対するアンテナ２４ａの位置でアシストマーク３６を表示する。
【０１６０】
つまり、メインＬＣＤモニタ３２に表示されるアシストマーク３６の裏側には、アンテナ２４ａが存在する。そして、使用者は、メインＬＣＤモニタ３２に表示されたアシストマーク３６の位置とリーダ／ライタとが重なるように、アンテナ２４ａの受信感度が良好に確保されている面、例えば、ケースＣ１の他面をリーダ／ライタに近接させればよい。
【０１６１】
図１９(Ａ)および図１９(Ｃ)に示す状態では、アンテナ２４ａの受信感度が良好に確保されているケースＣ１の他面の裏側面は、ケースＣ１の主面となる。しかし、メインＬＣＤモニタ３２の表示範囲には、アンテナ２４ａの位置が含まれない。よって、メインＬＣＤモニタ３２は、ケースＣ１の主面の模式図３８を表示し、さらに、ケースＣ１の主面に対するアンテナ２４ａの位置でアシストマーク３６を表示する。
【０１６２】
つまり、メインＬＣＤモニタ３２に表示される模式図３８に対応するケースＣ１の主面の裏側には、アンテナ２４ａが存在する。そして、使用者は、メインＬＣＤモニタ３２に表示された模式図３８に対応するケースＣ１の主面において、アシストマーク３６が示す位置とリーダ／ライタとが重なるように、アンテナ２４ａの受信感度が良好に確保されている面、例えば、ケースＣ１の他面をリーダ／ライタに近接させればよい。
【０１６３】
ＣＰＵ２２は、図４に示すフェリカモード制御タスクと、図２０に示すアシスト制御タスクとを含む複数のタスクを並列的に実行する。なお、これらのタスクに対応する制御プログラムはフラッシュメモリ２０に記憶され、さらに図３(Ａ)および図３(Ｂ)に示すアシストマーク３６および模式図３８の画像データは、フラッシュメモリ２０に記憶され、アシスト制御タスクの処理に応じて、フラッシュメモリ２０から読み出される。
【０１６４】
第５実施例のフェリカモード制御タスクの処理は、第１実施例と同じため、省略する。
【０１６５】
図２０を参照して、アシスト制御タスクの処理について説明する。ステップＳ７９では、メインＬＣＤモニタ３２にアシストマーク３６を表示できるか否かを判定する。ここで
ＹＥＳであれば、図１９(Ａ)および図１９(Ｂ)に示す状態となるため、ステップＳ８１へ進む。そして、メインＬＣＤモニタ３２に、メインＬＣＤモニタ３２に対するアンテナ２４ａの位置でアシストマーク３６を表示させる。
【０１６６】
また、ステップＳ７９でＮＯであれば、図１９(Ａ)および図１９(Ｃ)に示す状態となるため、ステップＳ８３へ進む。そして、メインＬＣＤモニタ３２に、ケースＣ１の主面の模式図３８を表示させ、さらに、ケースＣ１の主面に対するアンテナ２４ａの位置でアシストマーク３６を表示させる。
【０１６７】
ステップＳ８１またはステップＳ８３の処理が完了すると、メインＬＣＤモニタ３２にアシストマーク３６を表示できるか否かを再判定するために、ステップＳ７９へ戻る。
【０１６８】
なお、この第５実施例では、キー入力装置２６をカーバで隠す、フリップタイプの携帯通信端末で用いてよい。
【０１６９】
なお、第１実施例〜第５実施例では、開状態と閉状態との切り替え処理に、磁気センサ２８および磁石３０を採用しているが、赤外線などを用いた非接触スイッチや、メカニカルスイッチを用いた接触スイッチを用いてもよい。
【０１７０】
また、メインＬＣＤモニタ３２に対するフェリカ回路２４の位置の変化を検出する処理に、第２ケースに対する第１ケースの移動量を検出する移動量センサをさらに備えてもよい。
【０１７１】
また、模式図３８は、ケースＣ２の上面としているが、フェリカ回路２４が内蔵される面によって変更してもよい。
【０１７２】
また、携帯通信端末１０の通信方式には、ＣＤＭＡ方式だけに限らず、ＰＨＳ方式，ＴＤＭＡ方式，Ｗ‐ＣＤＭＡ方式でもよいことは言うまでもない。
【符号の説明】
【０１７３】
１０    …  携帯通信端末
２２    …  ＣＰＵ
２４    …  フェリカ回路
２６    …  キー入力装置
２８    …  磁気センサ
３０    …  磁石
３２    …  メインＬＣＤモニタ
３４    …  サブＬＣＤモニタ
３６    …  アシストマーク
３８    …  模式図
【図１】
0005441994.tif 000002
【図２】
0005441994.tif 000003
【図３】
0005441994.tif 000004
【図４】
0005441994.tif 000005
【図５】
0005441994.tif 000006
【図６】
0005441994.tif 000007
【図７】
0005441994.tif 000008
【図８】
0005441994.tif 000009
【図９】
0005441994.tif 000010
【図１０】
0005441994.tif 000011
【図１１】
0005441994.tif 000012
【図１２】
0005441994.tif 000013
【図１３】
0005441994.tif 000014
【図１４】
0005441994.tif 000015
【図１５】
0005441994.tif 000016
【図１６】
0005441994.tif 000017
【図１７】
0005441994.tif 000018
【図１８】
0005441994.tif 000019
【図１９】
0005441994.tif 000020
【図２０】
0005441994.tif 000021